(57)【要約】  【課題】  表面に開口部を有する装飾用基体に狙い通りに模様を液圧転写できるようにして、見栄えが良好な装飾体を得ることができる液圧転写方法を提供する。  【解決手段】  パネル基体１の開口部３周縁に形成された内側周壁部９に、開口部３を閉塞するための閉塞治具２０を取り付ける。水溶性フィルム基体１５に複数の模様１３を印刷してなる転写フィルム１６を水面Ｗに浮かべて模様１３の上面に接着剤を噴霧する。フィルム基材１５が水に溶解した状態で、パネル基体１をその表面５ａ側から模様１３に押し当てる。パネル基体１を水中に没入させて水圧により模様１３を表面５ａ、７ａ、９ａに密着させて転写し、スイッチパネルＰを得る。スイッチパネルＰを水中から引き上げて、閉塞治具２０を取り外す。【選択図】      図２
2005125493.tif 000002
【特許請求の範囲】
【請求項１】
液体に溶解するフィルム基体に模様が印刷されてなる転写フィルムを液面に浮かべ、
開口部が形成された装飾用基体に閉塞治具を取り付けて上記開口部を閉塞した状態で、上記模様に装飾用基体表面を押し当てて液中に没入させることにより、装飾用基体表面に模様が転写された装飾体を得、
その後、上記閉塞治具を装飾体から取り外すことを特徴とする液圧転写方法。
【請求項２】
請求項１に記載の液圧転写方法において、
閉塞治具には、空気抜き用の貫通路が形成され、
装飾用基体を液中に没入させた際、上記閉塞治具で閉じ込められた空気を上記貫通路から液外に逃がすことを特徴とする液圧転写方法。
【発明の詳細な説明】
【技術分野】
【０００１】
本発明は、装飾体に模様を液圧転写する液圧転写方法に関する。
【背景技術】
【０００２】
従来より、例えば特許文献１に開示されているように、液圧転写方法を用いて装飾用基体に模様を転写して装飾体を得ることが行われている。この特許文献１の液圧転写方法は、水溶性材料からなるフィルム基体に模様が印刷されてなる転写フィルムを水面に浮かべ、フィルム基体を水に溶解させて水面に残っている模様に装飾用基体表面を押し当ててそのまま水中に没入させることにより、水圧で模様を装飾用基体表面に密着させて転写するものである。
【特許文献１】特開２００２−１７２８９４号公報（第３頁、図２、図３、図４）
【発明の開示】
【発明が解決しようとする課題】
【０００３】
ところが、装飾用基体表面に開口部が形成されている場合、装飾用基体を水面に浮かんでいる模様に押し当てて没入させようとすると、水が開口部の内方へ向かって流れ、この水の流れにより水面の模様が位置ずれするとともに、変形してしまう。こうなると、装飾用基体に転写された模様は変形したり所定位置からずれた状態となって、装飾体の見栄えが悪くなる。
【０００４】
本発明は斯かる点に鑑みてなされたものであり、その目的とするところは、開口部を有する装飾用基体表面に模様を液圧転写する場合に、装飾用基体を液中に没入させるときに開口部の内方へ向かって液体が殆ど流れないようにし、模様を狙い通りに転写して見栄えの良好な装飾体を得ることができる液圧転写方法を提供することにある。
【課題を解決するための手段】
【０００５】
上記目的を達成するために、本発明では、装飾用基体を液中に没入させる前に閉塞治具を用いて開口部を閉塞しておき、装飾用基体表面に模様を転写した後に閉塞治具を取り外すようにした。
【０００６】
具体的には、請求項１の発明では、液体に溶解するフィルム基体に模様が印刷されてなる転写フィルムを液面に浮かべ、開口部が形成された装飾用基体に閉塞治具を取り付けて上記開口部を閉塞した状態で、上記模様に装飾用基体表面を押し当てて液中に没入させることにより、装飾用基体表面に模様が転写された装飾体を得、その後、上記閉塞治具を装飾体から取り外す構成とする。
【０００７】
請求項２の発明では、請求項１の発明において、閉塞治具には、空気抜き用の貫通路を形成し、装飾用基体を液中に没入させた際、上記閉塞治具で閉じ込められた空気を上記貫通路から液外に逃がす構成とする。
【発明の効果】
【０００８】
請求項１の発明によれば、装飾用基体表面を液面の模様に押し当てて液中に没入させる際、装飾用基体に取り付けられた閉塞治具により開口部が覆われているので、開口部の内方へ向かう液体の流れは殆ど発生せず、液面の模様が位置ずれしたり変形したりするのを可及的に防止することができる。これにより、模様が狙い通りに装飾用基体表面に転写され、その後、閉塞治具を取り外すことで、見栄えの良好な装飾体を得ることができる。
【０００９】
請求項２の発明によれば、装飾用基体を液中に没入させると、閉塞治具で閉じ込められて開口部に溜まっている空気が該閉塞治具の貫通路を通って液外へ逃げる。これにより、開口部周縁に溜まった空気により模様が変形してしまうのを防止することができるとともに、模様と装飾用基体表面との間に空気が侵入して転写不良となるのを防止することができて、開口部周縁に模様を見栄え良く転写することができる。
【発明を実施するための最良の形態】
【００１０】
以下、本発明の実施形態を図面に基づいて詳細に説明する。
【００１１】
図３は、本発明の実施形態に係る液圧転写方法を用いて装飾を施した装飾体としての自動車用スイッチパネルＰを示し、この実施形態の説明では、まず、このスイッチパネルＰの構造について説明する。該スイッチパネルＰは、ドアトリム（図示せず）に取り付けられるものであり、樹脂材を成形してなる装飾用基体としてのパネル基体１を備えている。該パネル基体１は、ドアトリムに取り付けられた状態で略水平となる平板部５を有し、この平板部５には、パワーウインドの昇降スイッチ配設用の矩形開口部３が形成されている。図１にも示すように、平板部５の外周縁には、パネル基体１の裏側へ延びる外側周壁部７が一体に形成され、また、上記開口部３の周縁にも同様に延びる内側周壁部９が一体に形成されている。上記平板部５の表面５ａ、外側周壁部７の外面である表面７ａ及び内側周壁部９の内面である表面９ａには、それぞれ多数の同じ模様１３が略等間隔に液圧転写されており、これら模様１３及び上記パネル基体１によりスイッチパネルＰが構成されている。尚、パネル基体１に転写する模様１３は１つでもよい。
【００１２】
次に、図１及び図２に基づいて上記模様１３をパネル基体１の表面５ａ、７ａ、９ａに転写する要領について説明する。
【００１３】
まず、図１に示すように、パネル基体１の開口部３を閉塞する閉塞治具２０を、同図（ａ）における矢印イの方向（パネル基体１裏側）からパネル基体１に取り付けて開口部３を閉塞する。この閉塞治具２０は、上記パネル基体１と同様に樹脂材を成形してなり、内側周壁部９のパネル基体１裏側の端縁部に沿って延びる矩形の閉塞板部２０ａを備えている。該閉塞板部２０ａの外形は内側周壁部９の外形と略同じ形状に形成され、この閉塞板部２０ａの外周縁には、内側周壁部９の外面に沿うように突出して該外面に嵌合する嵌合壁２０ｂが一体に形成されている。閉塞治具２０は、嵌合壁２０ｂを内側周壁部９に外嵌合させることにより、パネル基体１に取り付けられるようになっている（図１（ｂ）参照）。また、閉塞板部２０ａの略中央部には、パネル基体１の表裏方向に貫通する小孔の貫通路２０ｃが形成されている。この貫通路２０ｃの断面積は、パネル基体１の水中に没入させる際に、開口部３内に閉じ込められた空気を徐々に逃がすように設定されている。
【００１４】
一方、図２（ａ）に示すように、水溶性材料からなるフィルム基体１５上に、非水溶性のインクを用いて模様１３を複数印刷してなる転写フィルム１６を用意する。そして、この転写フィルム１６の模様１３が印刷された面を上に向けて水面Ｗに浮かべ、この状態で、模様１３の上面である接着面に図示しない噴霧装置等を用いて接着剤を吹き付ける。しばらくすると、図２（ｂ）に示すように、フィルム基体１５が水に完全に溶解して模様１３のみが水面Ｗに浮かんでいる状態となる。
【００１５】
次いで、この図２（ｂ）に示すように、閉塞治具２０で開口部３を閉塞したパネル基体１をその平板部５の表面５ａが下に向いた状態で模様１３の上方に配置し、この状態からパネル基体１を矢印ロで示すように下方へゆっくりと移動させ、平板部５の表面５ａを模様１３の上面に押し当てる。上記パネル基体１をさらに下方へ移動させることにより、図２（ｃ）に示すように、模様１３が外側周壁部７の表面７ａ及び内側周壁部９の表面９ａに接触し、これら模様１３と一緒にパネル基体１を水中に没入させる。
【００１６】
このパネル基体１を水中に没入させる際に、開口部３内に閉じ込められた空気は、パネル基体１を没入させるにつれて、閉塞治具２０の貫通路２０ｃから徐々に外部に逃げる。これにより、開口部３周縁に空気が溜まることはなくなるとともに、開口部３内が水で満たされる。そして、上記パネル基体１を水中に完全に没入させることにより、模様１３が水圧によりパネル基体１の表面５ａ、７ａ、９ａに押し付けられて密着して転写され、この装飾用基体１を水中から引き上げて洗浄して乾燥させることにより、装飾（模様）が施されたスイッチパネルＰが得られる。
【００１７】
その後、閉塞治具２０をスイッチパネルＰから取り外す。この取り外した閉塞治具２０は、次に転写を行うパネル基体１に取り付けて再利用することが可能である。
【００１８】
したがって、この実施形態に係る液圧転写方法によれば、模様１３を転写する前にパネル基体１の開口部３を閉塞治具２０により閉塞するようにしたので、パネル基体１を水中に没入させる際、開口部３の内方へ向かう水の流れが殆ど発生せず、水面Ｗの模様１３の変形や位置ずれを防止することができる。これにより、パネル基体１の表面５ａ、７ａ、９ａに模様１３を狙い通りに転写することができて、スイッチパネルＰの見栄えを良好にすることができる。
【００１９】
また、スイッチパネルＰを水中に没入させる際に閉塞治具２０の貫通路２０ｃにより開口部３内の空気を外部へ逃がすようにしているので、開口部３周縁の空気により模様１３が変形するのを防止することができるとともに、模様１３とパネル基体１の表面５ａ、９ａとの間に空気が入って転写不良となるのを防止することができる。これにより、開口部３周縁や内側周壁部９の表面９ａに模様１３を見栄え良く転写することができる。
【００２０】
尚、この実施形態では、閉塞治具２０を内側周壁部９のパネル基体１裏側から取り付けるようにしているが、これに限らず、図４に示す変形例のように、内側周壁部９のパネル基体１表側から取り付けるようにしてもよい。すなわち、内側周壁部９のパネル基体１裏側の端縁部に該内側周壁部９の内方へ向けて延出する延出部９ｂを形成し、この延出部９ｂの内側に上記開口部３よりも小さい裏側開口部９ｃを形成する。一方、閉塞治具２０を板状に形成し、該閉塞治具２０のパネル基体１裏側に上記裏側開口部９ｃに嵌合する裏側嵌合部２０ｄを形成するとともに、閉塞治具２０のパネル基体１表側に上記開口部３に嵌合する表側嵌合部２０ｅを形成する。この閉塞治具２０をパネル基体１に取り付ける際には、閉塞治具２０をパネル基体１表側に位置付けて開口部３に挿入し、閉塞治具２０の裏側嵌合部２０ｄをパネル基体１の裏側開口部９ｃに嵌合させるとともに、表側嵌合部２０ｅをパネル基体１の開口部３に嵌合させる。この場合には、図示しないが、閉塞治具２０の裏側嵌合部２０ｄ外周縁部を切り欠いて該裏側嵌合部２０ｄの厚み方向に延びる凹溝を形成し、表側嵌合部２０ｅに上記凹溝と連通するように表裏方向に貫通孔を形成し、これら凹溝及び貫通孔により貫通路を構成してもよい。これにより、液圧転写の際に開口部３内に閉じ込められた空気は、表側嵌合部２０ｅの貫通孔から裏側嵌合部２０ｄの凹溝を通って外部に逃げるようになる。
【００２１】
また、閉塞治具２０は、パネル基体１裏側の略全体を覆うように形成してもよい。
【００２２】
また、閉塞治具２０の貫通路２０ｃは複数箇所に設けてもよく、また、閉塞治具２０の材料は樹脂材に限られるものではなく、例えばセラミック等の連続気孔を有する多孔質材を用いて成形した場合には、連続気孔により貫通路を構成することができる。
【００２３】
また、この実施形態では、液圧転写の際に用いる液体が水である場合について説明しているが、水以外の液体を用いることも可能である。この場合、用いる液体に溶解する材料でフィルム基体１５を構成するとともに、その液体に溶解しないインクにより模様１３をフィルム基体１５上に印刷すればよい。
【００２４】
さらに、この実施形態では、本発明を自動車のスイッチパネルＰに適用した場合について説明したが、本発明は、例えば自動車のインストルメントパネルに設けられるセンターパネルやリッド部材、また、自動車部品以外にも模様を液圧転写するようにした装飾体に適用することができる。
【産業上の利用可能性】
【００２５】
以上説明したように、本発明に係る液圧転写方法は、例えばスイッチパネルのように開口部が形成された装飾用基体に装飾を施す場合に適している。
【図面の簡単な説明】
【００２６】
【図１】（ａ）は、パネル基体に閉塞治具を取り付ける前の状態を示す断面図であり、（ｂ）は、パネル基体に閉塞治具を取り付けた状態を示す断面図である。
【図２】（ａ）は、転写フィルムを水面に浮かべた状態を示す断面図であり、（ｂ）は、フィルム基体が完全に溶解しその上方にパネル基体を配置した状態を示す断面図であり、（ｃ）は、パネル基体を水中に没入させて該パネル基体に模様を密着させた状態を示す断面図である。
【図３】本発明の実施形態に係る液圧転写方法を用いて装飾を施したスイッチパネルの斜視図である。
【図４】実施形態の変形例に係る図１（ｂ）相当図である。
【符号の説明】
【００２７】
１                  パネル基体（装飾用基体）
３                  開口部
５ａ、７ａ、９ａ    表面
１３                模様
１５                フィルム基体
１６                転写フィルム
２０                閉塞治具
２０ｃ              貫通路
Ｐ                  スイッチパネル（装飾体）
Ｗ                  水面（液面）
【図１】
2005125493.tif 000003
【図２】
2005125493.tif 000004
【図３】
2005125493.tif 000005
【図４】
2005125493.tif 000006